(57)【要約】【課題】段板を支柱に固定具で固定しても、昇降時の段板の振動を軽減できる螺旋階段の段板取付構造を提供すること。【解決手段】螺旋階段の段板取付構造は、段板４の支柱３側の端部に前記支柱３に沿うエンドプレート９を一体に設けて、前記エンドプレート９を貫通する固定具（固定ボルト１４）により前記エンドプレート９を前記支柱３の側面に着脱可能に固定するようにしている。しかも、前記支柱３と段板４との間に防振材（ゴムプレート１３）を介装している。【選択図】  図３
2006316577.tif 000002
【特許請求の範囲】
【請求項１】
段板の支柱側の端部に前記支柱に沿うエンドプレートを一体に設けて、前記エンドプレートを貫通する固定具により前記エンドプレートを前記支柱の側面に着脱可能に固定するようにした螺旋階段の段板取付構造において、
前記支柱と段板との間に防振材を介装したことを特徴とする螺旋階段の段板取付構造。
【請求項２】
請求項１に記載の螺旋階段の段板取付構造において、前記エンドプレートの前記支柱側の面には前記段板の上壁と２つの側壁の三辺が突出することにより、下面が開放された凹部が形成され、前記防振材は前記凹部に充填されていることを特徴とする螺旋階段の段板取付構造。
【請求項３】
請求項１又は２に記載の螺旋階段の段板取付構造において、前記防振材は硬質ゴムであることを特徴とする螺旋階段の段板取付構造。
【発明の詳細な説明】
【技術分野】
【０００１】
この発明は、段板を支柱に固定具で固定するようにした螺旋階段の段板取付構造に関するものである。
【背景技術】
【０００２】
従来から、鋼製の支柱の回りに鋼製の段板を螺旋状に配列して、この段板を支柱に固定するようにした螺旋階段がある。このような螺旋階段においては、支柱の回りに段板支持用のリブを複数螺旋状に配列して、このリブの基部を支柱に溶接固定すると共に、各リブの上に鋼製の支持板を水平に溶接固定し、この支持板上に段板をボルトで固定するようにしたものが知られている（例えば、特許文献１参照）。
【０００３】
しかしながら、段板を支持するリブの支柱への取り付けは溶接によるために、現場での組み立て等には不向きである。これを解消するものとしては、段板をボルト等の固定具で支柱に直接固定する乾式接合構造も考えられている。
【特許文献１】特開2002-161619号公報
【発明の開示】
【発明が解決しようとする課題】
【０００４】
しかしながら、このような乾式接合構造では、段板を支柱に対して剛接合しにくいので、階段昇降時に段板の振動が大きくなりやすい傾向がある。
【０００５】
そこで、この発明は、段板を支柱に固定具で固定しても、昇降時の段板の振動を軽減できる螺旋階段の段板取付構造を提供することを目的とするものである。
【課題を解決するための手段】
【０００６】
この目的を達成するため、請求項１の発明は、段板の支柱側の端部に前記支柱に沿うエンドプレートを一体に設けて、前記エンドプレートを貫通する固定具により前記エンドプレートを前記支柱の側面に着脱可能に固定するようにした螺旋階段の段板取付構造において、前記支柱と段板との間に防振材を介装した螺旋階段の段板取付構造としたことを特徴とする。
【０００７】
また、請求項２の発明は、請求項１に記載の螺旋階段の段板取付構造において、前記エンドプレートの前記支柱側の面には前記段板の上壁と２つの側壁の三辺が突出することにより、下面が開放された凹部が形成され、前記防振材は前記凹部に充填されていることを特徴とする。
【０００８】
更に、請求項３の発明は、請求項１又は２に記載の螺旋階段の段板取付構造において、前記防振材は硬質ゴムであることを特徴とする。
【発明の効果】
【０００９】
請求項１の発明によれば、利用者が螺旋階段を昇降する際に、複数の段板に加わる利用者の体重が順次変化して、段板が振動しようとしても、この振動が防振材により吸収されるので、段板を支柱に固定具で固定しても、昇降時の段板の振動を軽減できる。しかも、固定具にボルト等を用いた場合に、防振材の弾性力によりボルトが緩むのを防止できる。
【００１０】
また、請求項２の発明によれば、防振材とエンドプレートとが位置決めされていてずれないので、段板を支柱に取り付ける際に、防振材を容易且つ迅速に段板と支柱との間に介装することができる。
【００１１】
更に、請求項３の発明によれば、防振材が硬質であるので、利用者が螺旋階段を昇降する際に、段板に利用者の体重が加わっても、利用者の体重による防振材の変形量を小さくして、段板の振動を軽減できると共に、段板が支柱に直接に接するような事態を回避できる。
【発明を実施するための最良の形態】
【００１２】
以下、この発明の実施の形態を図面に基づいて説明する。
【００１３】
図１において、建物１の側方には螺旋階段２が配設されている。この螺旋階段２は、図１に示したように、建物１に近接して配設され且つ上下に延びる鋼製で円筒状の支柱３と、支柱３に沿って螺旋状に配設された鋼製の複数の段板４（図２〜図６参照）と、複数の段板４に沿って螺旋状に設けられた手摺り５を有する。
【００１４】
また、図６，図７に示したように、支柱３の段板４に一端に対応する部分には複数の貫通孔６が形成され、各貫通孔６にはポップナット７がカシメにより固定されている。各ポップナット７は支柱３内に突出するように設けられている。
【００１５】
更に、段板４は、図２，図４に示したような鋼製の段板本体８と、この段板本体８の一端部（支柱３側の端部）内に溶接固定された鋼製のエンドプレート９と、段板本体８の他端部（支柱３とは反対側の端部）に溶接固定された鋼製のエンドプレート１０を有する。
【００１６】
この段板本体８は、図２に示したように平面形状がセクター状（扇状）で水平な上壁８ａと、図２，図４，図５に示したように上壁８ａの長手方向に延びる側縁に下方に向けて略垂直に連設された側壁８ｂ，８ｂを有する。この側壁８ｂの下縁８ｃは、図２，図４に示したように、一端（支柱３側の端）から他端側（支柱３とは反対側の端）に向けて上方に傾斜する傾斜縁８ｃ１と、側壁８ｂのエンドプレート１０側の端部に設けられ且つ端に向けて下方に向かう傾斜縁８ｃ２を有する。８ｄは傾斜縁８ｃ１，８ｃ２の連設部である。
【００１７】
尚、上壁８ａの支柱３側の端縁８ａ１は、支柱３と同心となるように平面形状が円弧状に形成されていると共に、支柱３と僅かな隙間をおいて支柱３の外周面に沿う形状に形成されている。また、エンドプレート９，１０は、支柱３と同心となるように平面形状が円弧状に形成されている。
【００１８】
更に、図４に示したように段板本体８の一端部はエンドプレート９から支柱３側に僅かに突出している。これにより、段板本体８の上壁８ａ，側壁８ｂ，８ｂ及びエンドプレート９との間には、支柱３側及び下方に開放する位置決凹部１１が形成されている。
【００１９】
このエンドプレート９には、複数（図２では４つ）のボルト挿通孔１２が形成されている。この複数のボルト挿通孔１２と上述した複数のポップナット７はそれぞれ対応して設けられている。尚、図３では、支柱３の周方向に間隔をおいた２つのボルト挿通孔１２，１２が上下に配置されている。
【００２０】
また、エンドプレート９と支柱３の外周面との間には、ＥＰＤＭ（エチレン・プロピレン・ジェン・モノマー）製で硬度６０の硬質のゴムプレート（ゴムスペーサ）１３が防振用弾性板（防振材）として配設されている。しかも、このゴムプレート１３の上部及び下部には、ボルト挿通穴１３ａ及びボルト挿通用切欠１３ｂがそれぞれ形成されている。また、このゴムプレート１３の板厚は、位置決凹部１１の深さの寸法より僅かに大きく設定されている。
【００２１】
例えば、位置決凹部１１の深さを３ミリとしたときに、ゴムプレート１３の板厚を４ミリとする。
【００２２】
そして、図６，図７に示したように、固定ボルト（固定具）１４が、段板本体８内からエンドプレート９の各ボルト挿通穴１２にそれぞれ遊挿（挿通）されていると共に、ゴムプレート１３のボルト挿通穴１３ａ又はボルト挿通用切欠１３ｂに挿通されている。しかも、各固定ボルト１４は支柱３の複数のポップナット７にそれぞれ螺着されている。これにより、エンドプレート９がゴムプレート１３を介して支柱３に固定され、段板４が図１の如く支柱３に固定される。
【００２３】
この際、図６，図７に示したように、段板本体８の一端と支柱３の外周面との間には隙間できないようにゴムプレート１３を圧縮させると共に、段板本体８の上壁８ａ及び側壁８ｂの三辺を支柱３の外周面に当接させる。このように上壁８ａ及び側壁８ｂの三辺が支柱３の外周面に接しているので、通常の荷重が段板本体８上に作用しても、段板本体８が垂れる変形を抑えている。
【００２４】
また、図１において手摺り５には縦支持棒１６が溶接固定され、縦支持棒１６の下端部はエンドプレート１０に固定されている。
【００２５】
このような構造によれば、利用者が螺旋階段２を昇降する際に、複数の段板４に加わる利用者の体重が順次変化して、段板４が支柱３側を支点として上下に振動しようとする。そして、この振動によりゴムプレート１３が圧縮・開放され、この過程で振動エネルギーが吸収されるので、振動の減衰を早めることができ、段板４を支柱３に固定ボルト１４で固定しても、昇降時の段板４の振動を軽減できる。即ち、位置決凹部１１の下辺が開放されているので、段板本体８に振動が加わった時には、この部分でゴムプレート（防振材）１３の圧縮変形が生じて振動エネルギーが吸収されるので、昇降時の段板４の振動を軽減できる。尚、この振動に際しては、固定ボルト１４は弾性変形する。
【００２６】
しかも、段板４が支柱３側を支点として上下に振動しても、ゴムプレート（ゴムスペーサ）１３の緩衝効果により、固定ボルト１４にかかる変形力による固定ボルト１４の弾性変形、及びこの弾性変形による段板４の上下方向への変位を抑制できるので、鳴りの発生防止にも効果がある。
【００２７】
その上、ゴムプレート１３の弾性力（反発力）により固定ボルト１４が緩むのを防止できる。
（変形例）
尚、ゴムプレート１３は図２では平板状に形成されているが、ゴムプレート１３を予めエンドプレート９に沿うように円弧状に形成しておくこともできる。この場合には、段板４を支柱３に取り付ける前に、予めエンドプレート９を位置決用凹部１１に嵌合しておくことにより、段板４を支柱３に取り付ける際に、ゴムプレート１３をエンドプレート９と支柱３との間に容易且つ迅速に介装することができる。
【００２８】
また、ゴムプレート１３はエンドプレート９に予め焼き付け固着しておくこともできる。この場合には、段板４を支柱３に取り付ける前に、ゴムプレート１３を位置決凹部１１に対して嵌合する必要がないので、段板４を支柱３に容易且つ迅速に取り付けることができる。
【００２９】
更に、図６，図７において図示は省略したが、固定ボルト１４の頭部１４ａとエンドプレート９の凸側面９ａとの間にワッシャ等が介装される。尚、このワッシャとエンドプレートとの間に硬質ゴム等からなる弾性部材を介装することもできる。
【００３０】
以上説明したように、この発明の実施の形態の螺旋階段の段板取付構造は、段板４の支柱３側の端部に前記支柱３に沿うエンドプレート９を一体に設けて、前記エンドプレート９を貫通する固定具（固定ボルト１４）により前記エンドプレート９を前記支柱３の側面に着脱可能に固定するようにしている。しかも、前記支柱３と段板４との間に防振材（ゴムプレート１３）を介装している。
【００３１】
この構成によれば、利用者が螺旋階段２を昇降する際に、複数の段板４に加わる利用者の体重が順次変化して、段板４が振動しようとしても、この振動が防振材（ゴムプレート１３）により吸収されるので、段板４を支柱３に固定具（固定ボルト１４）で固定しても、昇降時の段板４の振動を軽減できる。しかも、固定具にボルト等を用いた場合に、防振材（ゴムプレート１３）の弾性力によりボルトが緩むのを防止できる。
【００３２】
また、この発明の実施の形態の螺旋階段の段板取付構造において、前記エンドプレート９の前記支柱３側の面には前記段板４の上壁８ａと２つの側壁８ｂ、８ｂの三辺が突出することにより、下面が開放された凹部１１が形成され、前記防振材（ゴムプレート１３）は前記凹部１１に充填されている。
【００３３】
この構成によれば、防振材（ゴムプレート１３）とエンドプレート９とが位置決めされていてずれないので、段板４を支柱３に取り付ける際に、防振材（ゴムプレート１３）を容易且つ迅速に段板４と支柱３との間に介装することができる。
【００３４】
しかも、段板４の段板本体８の一端と支柱３の外周面との間には隙間できないように防振材（ゴムプレート１３）を圧縮させると共に、段板４（段板本体８の上壁８ａ及び側壁８ｂ）の三辺を支柱３の外周面に当接させることで、段板（上壁８ａ及び側壁８ｂ）の三辺が支柱３の外周面に接するので、通常の荷重が段板４（段板本体８）上に作用しても、段板４（段板本体８）が垂れる変形を抑えることができる。また、凹部（位置決凹部１１）の下辺が開放されているので、段板４（段板本体８）に振動が加わった時には、この部分で防振材（ゴムプレート１３）の圧縮変形が生じて振動エネルギーが吸収されるので、昇降時の段板４の振動を軽減できる。
【００３５】
更に、この発明の実施の形態の螺旋階段の段板取付構造において、前記防振材（ゴムプレート１３）には硬質ゴムが用いられている。
【００３６】
この構成によれば、防振材（ゴムプレート１３）が硬質であるので、利用者が螺旋階段２を昇降する際に、段板４に利用者の体重が加わっても、利用者の体重にる防振材（ゴムプレート１３）の変形量を小さくして、段板４の振動を軽減できると共に、段板４が支柱３に直接に接するような事態を回避できる。
【００３７】
以上、図面を参照して、本発明の実施の形態を詳述してきたが、具体的な構成は、この実施の形態に限らず、本発明の要旨を逸脱しない程度の設計的変更は、本発明に含まれる。
【図面の簡単な説明】
【００３８】
【図１】この発明にかかる段板取付構造を備える螺旋階段と建物との関係を示す概略説明図である。
【図２】図１の支柱と段板との関係を示す要部分解斜視図である。
【図３】図２の段板が支柱に組み付けられた状態の要部平面図である。
【図４】図３のＡ１−Ａ１線に沿う断面図である。
【図５】図４のＡ２−Ａ２線に沿う断面図である。
【図６】図３のＡ３−Ａ３線に沿う断面図である。
【図７】図６のＡ４−Ａ４線に沿う断面図である。
【符号の説明】
【００３９】
２…螺旋階段
３…支柱
４…段板
９…エンドプレート
１１…位置決凹部（凹部）
１３…ゴムプレート（防振材）
１４…固定ボルト（固定具）
【図１】
2006316577.tif 000003
【図２】
2006316577.tif 000004
【図３】
2006316577.tif 000005
【図４】
2006316577.tif 000006
【図５】
2006316577.tif 000007
【図６】
2006316577.tif 000008
【図７】
2006316577.tif 000009